(57)【要約】      （修正有）【課題】内部にナットを入れる事のできないパイプのボルト止めには、タップ孔を明けボルト締めする方法等を用いることなく、ナットを保持する補助具を用いることにより、容易に締結可能とする。【解決手段】ナット５は金属製筒形とし、ナット５の頭部径は挿入しようとするパイプ１１の外側孔径より小さく、筒形ナット腹部の長さはパイプ１１の外側孔径よりも大きい。ナット５を弾性体本体２の下端部のナット保持部３に収納し、弾性体の弾性を利用して、本体部２と保持部３の繋ぎ目である腕部４で９０度回転して、ナット頭部からパイプ外側孔より挿入した後、復元力によりパイプ内部で９０度回転して水平に戻し、フランジ１の中心の挿入孔からボルト１５を挿入してナット５に係合し、パイプ１１と金具１２とを締結する。【選択図】図５
2007239983.tif 000002
【特許請求の範囲】
【請求項１】
金属製のナットを弾性体が保持する構成でナットの形状は頭部方向からはパイプ外側孔より小さく、ナット腹部方向からはパイプ外側孔から抜けない形状であり、ナット腹部のほぼ中央に貫通するメネジを有するほぼ筒形のナットとそれを保持する弾性体で構成され、かつ弾性体はナットを保持した状態で腕部を支点にナットが弾性体本体に収納されるように折りたたむと、弾性体フランジ部を除きパイプ外側孔より入れることができ、パイプ内部でナット部が腕部を支点に反転するとパイプ外側孔からナットが抜けなくなることを特徴とするパイプ用後入れナット。
【請求項２】
対向する側面に変形しやすい形状の腕部を設け金属製ナットを保持する弾性体の柔軟性を利用して腕部から折りたたむと弾性体フランジ部以外がパイプ外側孔に挿入可能な形状となる。弾性体フランジ部以外をパイプ内部に入れることができ挿入後、弾性体ナット保持部で保持されたナットはパイプ内部で脱落することなく弾性体腕部を支点に、ほぼ９０度反転しパイプ外側孔から抜けなくなる形状へ変形することを特徴とするパイプ用後入れナット。
【請求項３】
フランジ部を除き弾性体の形状は、ほぼ筒形のナットに密着し包み込む形状であり、ナット部分とフランジを結ぶ弾性体本体部側面には、２つの対向するスリットが切られている。このスリットの役割はボルトがナットと螺合し締め込まれると、ナットが回転することがないようにナット側面を弾性体が押さえながら移動することができるようにナット共回り防止のガイド溝としての役目を果たす。ボルトを軽く押しながら締め込むとフランジ部と弾性体保持部が引っ張り合うため、ねじれに強くナットを共回りさせずに締め込むことが可能で、かつ締め込んでゆくとナットはフランジ部方向へ移動しパイプ外側からの作業のみでボルト止めができる構成としたことを特徴とするパイプ用後入れナット。
【発明の詳細な説明】
【技術分野】
【０００１】  本発明は、内部に手の入らないパイプに外側孔から挿入しパイプと金具等を締結するナットに関する。
【背景技術】
【０００２】  従来、パイプと金具等の部材をボルトで締結するには、ねじ山孔をあけボルトで締め付ける方法、または、パイプ対角線上に貫通孔をあけ、この孔同士を結ぶボルトを挿入しボルトとナットで双方の外側面から締め付ける方法があった。
【発明の開示】
【発明が解決しようとする課題】
【０００３】  パイプにねじ山孔をあけ金具等を締結する場合、パイプの肉厚と強度が低いと強く締付けた場合、ねじ山が潰れてしまい強い締め付けができない。【０００４】  また、パイプ対角線上に貫通孔をあけ、この孔同士を結ぶボルトを挿入しボルトとナットで双方の外側面から金具等を締め付ける方法は、パイプの強度が低いとパイプが潰れてしまい強い締め付けができない。【０００５】  本発明はこのような問題を解決するためパイプ外側孔からナットを入れ内部に脱落する事なくパイプ内側に定着させ、パイプ内側面と外側面からボルトで締め付けることにより、パイプ強度に影響されにくい強いボルト止めができるナットの提供を目的とする。
【課題を解決するための手段】
【０００６】  そして、本発明は上記目的を達成するため、ナットの材質は金属製、形状は、ほぼ筒形としナットの頭部径は挿入しようとするパイプの外側孔径より小さく、ほぼ筒形のナット腹部の長さはパイプ外側孔径よりも大きいものである。したがってナットを頭部からパイプ外側孔より挿入後パイプ内で、ほぼ９０度回転すると抜けなくなる。また、ボルトを締め込むためのナットメネジは、ナット腹部のほぼ中央部に貫通するメネジを有する。【０００７】  第２の課題解決手段としてナットをパイプ外側孔より挿入後、脱落せずにパイプ内側面に定着させる手段としてナットはフランジを含む弾性体に保持した。また、フランジはパイプ外側孔径より大きい径を有しておりパイプ内には入らない形状である。【０００８】  上記構成の作用を説明する。弾性体ナット保持部に納めたナット部分を回転させてゆくと弾性体本体と保持部との繋ぎ目である腕部が変形しほぼ９０度回転する。【０００９】  これにより、弾性体ナット保持部は本体部に納まり、図３のように形を変えフランジ部のみ残し全体がほぼ筒形に変形する。この変形によりパイプ外側孔からこれを挿入するとフランジ部のみパイプ外側に残し、ナットは弾性体と共にパイプの中に挿入される。【００１０】  パイプ内部に入った弾性体はその復元力で腕部が曲がり、ナットとその保持部がほぼ９０度反転し図４の形状に変形する。【００１１】  これにボルトを少し押すように締めこんでゆくとナットメネジがかみ合う。ボルトオネジ先端がナットを突き抜けるとナット保持部の下部に突き当たりフランジ部とナット保持部で引っ張り合う。このことで弾性体はねじれに強くなり、さらにボルトを締めこんでゆくとナットは弾性体本体に挟まれ弾性体本体の２つの側面に設けたスリットの間から回転せずにフランジ部方向へ向かい移動し部材との締結を可能とする。
【発明の効果】
【００１２】  上記したように本発明のナットはパイプの外側から内部にナットを挿入しボルト止めを可能にする。【００１３】  また、樹脂製丸形パイプで使用した場合でも、ほぼ筒形ナットがパイプと同方向になるように設置すれば、ナットはパイプ内側面に鋭角に接する事なく密着するため締め付けてもプラスチック製丸形パイプの割れや変形を起さない。
【発明を実施するための最良の形態】
【００１４】  以下、本発明の実施形態を図１〜図６に基づいて説明する。【００１５】  図１においては、フランジ１、弾性体本体２、ナット保持部３、腕部４は一体をなす弾性体のものである。【００１６】  ナット５は中央部に貫通するメネジ６有し１３はナット頭部で１４はナット腹部である。また、ナット５はフランジ１にメネジ６を向けナット収納部３に保持されている。【００１７】  フランジ１はパイプ外側孔より大きい径を有している。【００１８】  ボルト挿入孔７よりボルトをねじ込む。【００１９】  ナット保持補助部８はナットが容易に動かないように２つの対向する側面からナット５を押え、その中央にはナット５がフランジ１方向に移動するとナット保持補助部８から外れるようにするためにナット保持補助部スリット９が入っている。【００２０】  ナット移動スリット１０はナット５がフランジ１方向への移動時ナット５が通るガイド溝である。【００２１】  締結しようとする部材としてパイプ１１と金具１２がある。【００２２】  以下、上記構成の設置動作を説明する。図１においてナット５およびナット保持部３を９０度回転させてゆくと変形しやすい形状の腕部４を支点に図３の形状に変形する。【００２３】  これを、図３のように金具１１およびパイプ１２の外側孔からフランジ１が金具１１に密着するまで挿入する。【００２４】  挿入後、腕部４の復元力によりナット５および弾性体ナット保持部３はほぼ９０度反転し図４の形状へ変形する。【００２５】  これに図５のようにボルトを少し押すように締めこんでゆくとメネジ６がかみ合う。ボルトオネジ１６先端がナット５を突き抜けるとナット保持部３の下部に突き当たりフランジ１とナット保持部３が引っ張り合う。【００２６】  このことで、弾性体本体２はねじれに強くなり、さらにボルト１５を締めこんでゆくとナット５はフランジ１方向に移動しはじめ、ナット保持補助部８がナット５から外れ、ナット移動スリット１０の間を通り共回りせずに移動する。【００２７】  上記、設置動作により図６のように金具１１とパイプ１２とのボルト止め締結が可能となる。【００２８】  また、フランジ１は弾性体であるため防水効果を得られるものである。
【産業上の利用可能性】
【００２９】  従来、金属製パイプ締結の多くは溶着によるものであった。しかし溶着は煙の発生や火災の起こる危険から屋内での作業では問題があった。【００３０】  また、例えばアルミ製パイプと鉄製パイプのように異材料同士の溶着は難しかった。【００３１】  上記のような場合でも有効な締結ができる本発明は産業上非常に利用価値のあるものである。
【図面の簡単な説明】
【００３２】
【図１】本願発明後入れナットの斜視図
【図２】本願発明後入れナットの金属製ナット参考図
【図３】本願発明後入れナットの挿入時形態図
【図４】本願発明後入れナットの挿入後形態図
【図５】本願発明後入れナットのボルト螺合時形態図
【図６】本願発明後入れナットの締結時形態図
【符号の説明】
【００３３】  １    フランジ
２    弾性体本体
３    ナット保持部
４    腕部
５    ナット
６    メネジ
７    ボルト挿入孔
８    ナット保持補助部
９    ナット保持補助部スリット
１０  ナット移動スリット
１１  金具
１２  パイプ
１３  ナット頭部
１４  ナット腹部
１５  ボルト
１６  ボルトオネジ
【図１】
2007239983.tif 000003
【図２】
2007239983.tif 000004
【図３】
2007239983.tif 000005
【図４】
2007239983.tif 000006
【図５】
2007239983.tif 000007
【図６】
2007239983.tif 000008